(57)【要約】  【課題】  清掃素子の組立て及び交換を容易にする。  【解決手段】  本考案はチャック２内の接続ピース６下端に設ける水しぼりモップの連結機構であって、前記接続ピース６下方に設けられ、その左右側壁にそれぞれ孔を設けた位置決めピース７０と、前記孔の間に設けられ、スプリングと截断面が略十字形を呈する止ピース８１から組成された弾性止部材８と、略Ｕ字形を呈し、両端にそれぞれ傾斜部９６を設けて、しかも、前記左右側壁と前記止ピース６の間に挿置することで、使用時に前記押しキー９を押圧して止ピース６を内縮させて、容易に清掃素子１の交換ができるように構成する。【選択図】図２
0003127047.tif 000002
【実用新案登録請求の範囲】
【請求項１】
チャック内の接続ピース下端に設けることで清掃素子と連結するものであって、
前記接続ピース下方に設けられ、その中に空室を設け、その前後側壁の左右側壁に近い箇所へそれぞれ開口を設けて、その左右側壁にそれぞれ孔を設けた位置決めピースと、
前記左右側壁の孔の間に設けて、スプリングとそれぞれ該スプリング両端に設けた二つのほぼ截断面が十字形を呈し、係止部を有し内外突起の止ピースから構成され、前記スプリングが前記止ピースの内突起を固定することで、前記止ピースの外突起をそれぞれ前記孔の外に突出させる弾性止部材と、
ほぼＵ字形を呈し、両端の内側辺にそれぞれ傾斜部を設けて、前記傾斜部の末端は前記左右側壁と前記止ピースの係止との間に挿置していて、その中段箇所に突起を設けることでスプリングを固定する押しキーとを有することを特徴とするモップ。
【請求項２】
前記左右側壁の外側にそれぞれガイドレールを設けたことを特徴とする請求項１に記載のモップ。
【請求項３】
前記前側壁の後方で開口外側近くにそれぞれ段階部を設け、前記押しキーの両端外側にそれぞれ係止を設けることで前記段階部に挟装して成ることを特徴とする請求項１に記載のモップ。
【請求項４】
前記止ピースの係止前方の外側にそれぞれ斜面を設けてあることを特徴とする請求項１に記載のモップ。
【請求項５】
チャック内の接続ピース下端に設けることで清掃素子と連結するものであって、
前記接続ピースの下方に設けて、ほぼ方形枠体を呈し、その中、仕切板を設けることで中央空室と左右側室とを形成し、その仕切板外側に近い箇所にそれぞれ開口を設けて、前記仕切板にそれぞれ孔を設ける位置決めピースと、
それぞれ左右側室内に設けたものは、スプリングと截断面が略十字形を呈して、係止と内外突起の止ピースから組成され、前記スプリングは前記外突起を固定することで、前記内突起が前記仕切板の孔を貫通し、しかも前記中央空室に突出する左右弾性止部材と、略Ｕ字形を呈し、両端外側辺にそれぞれ傾斜部を設けて、しかも前記仕切板と前記左右弾性止部材の係止との間に挿置し、その中段階箇所に突起を設けることでスプリングを固定する押しキーとを有することを特徴とするモップ。
【請求項６】
前記前側壁の開口内にそれぞれ段階部を設けて、前記押しキーの両端内側にそれぞれ係止を設けることで前記段階部に挟装することを特徴とする請求項５に記載のモップ。
【請求項７】
前記左右側壁の内側にはそれぞれ突起を設けてあることを特徴とする請求項５記載のモップ。
【請求項８】
上記止ピースの係止前方の内側にはそれぞれ斜面を設けていることを特徴とする請求項５に記載のモップ。
【請求項９】
前記チャック内には数個のガイドレールを設け、前記前側壁の前方と後側壁の後方にはそれぞれ突起を設置して、前記突起は前記ガイドレールに沿って移動することを特徴とする請求項１又は５に記載のモップ。
【請求項１０】
前記前側壁外側の中央部に突起を設けてあることを特徴とする請求項１又は５項に記載のモップ。
【請求項１１】
前記押しキーの両端中段にそれぞれ開口を設けてあることを特徴とする請求項１又は５に記載のモップ。
【考案の詳細な説明】
【技術分野】
【０００１】
本考案はモップに関するものであり、特に、モップ部品の組合せ及び交換が容易にできるようにしたモップに関するものである。
【背景技術】
【０００２】
従来の此種モップを図８及び図９に従って説明する。同図に示すモップは特願２００６−２１０８号に係るものであり、同モップは、基板１１と綿体１２を有し、該基板１１の中央部上面に二個の固定ピース１５，１５を対峙して設け、該固定ピース１５，１５にそれぞれ孔１７，１７を設けて成る清掃素子１と、該清掃素子１の上方に跨設せられ、頂部に穿孔２１を設けて、その下端前後側にそれぞれ左右アームバー２３，２４を設け、更に該左右アームバー２３，２４にはそれぞれ孔２８を設けることで、その間に開口２７を形成するチャック２と、チャック２の穿孔２１に固設し、その下段箇所に長形孔３１を設けた握りレバー３と、その上端が握りレバー３の中段箇所に枢設し、その下端にはハンドル４１を設けたテンションレバー４と、その上端をテンションレバー４の上段箇所に枢設し、その下端は長形孔３１を貫通し、且つ、握りレバー３の下段箇所に設けたコネクティングロッド５と、対称的に左右アームバー２３，２４の孔２８に固設するロッド体５６と、該ロッド体５６に設けた数個の水しぼり素子５７と、コネクティングロッド５の下端に枢設した接続ピース６と、接続ピース６の下端に設けられた連結機構７は、その中、接続ピース６の下端に設けられた位置決めピース６６，６６が該接続ピース６の下端に設けられ、その上にそれぞれ孔６７を設けたものと該孔６７，６７の間に設ける弾性止部材６０を包み、その中截断面が略十字形を呈し、係止６２と内外突起６４，６３を有する止ピース６１と、両端がそれぞれ内突起６４を固定することで外突起６３をそれぞれ孔６７の外に突出したスプリング６５を包む。
【０００３】
清掃素子１を組合せ、交換したい場合には同時に両側の外突起６３を押圧して、それを縮ませると、清掃素子１の組合せ又は交換ができる。
【０００４】
よく用いるモップは操作が容易であるために、多くの家庭に採用されているが、その清掃素子１を組合せ、交換する場合には同時に両側の外突起を押圧する必要があり、使用時にはやはり不便な面があった。
【考案の開示】
【考案が解決しようとする課題】
【０００５】
本考案の目的は清掃素子の組立を容易にしたモップの連結機構を提供するにある。
【０００６】
本考案の他の目的は清掃素子の交換が容易であるモップの連結機構を提供する。
【課題を解決するための手段】
【０００７】
本考案は上記目的を達成するために提案せられたものであり、チャック内の接続ピース下端に設けることで清掃素子と連結するものであって、前記接続ピース下方に設けられ、その中に空室を設け、その前後側壁の左右側壁に近い箇所へそれぞれ開口を設けて、その左右側壁にそれぞれ孔を設けた位置決めピースと、前記左右側壁の孔の間に設けて、スプリングとそれぞれ該スプリング両端に設けた二つのほぼ截断面が十字形を呈し、係止部を有し内外突起の止ピースから構成され、前記スプリングが前記止ピースの内突起を固定することで、前記止ピースの外突起をそれぞれ前記孔の外に突出させる弾性止部材と、ほぼＵ字形を呈し、両端の内側辺にそれぞれ傾斜部を設けて、前記傾斜部の末端は前記左右側壁と前記止ピースの係止との間に挿置していて、その中段箇所に突起を設けることでスプリングを固定する押しキーとを有することを特徴とするモップ、及び、前記左右側壁の外側にそれぞれガイドレールを設けたことを特徴とする請求項１に記載のモップ、及び、前記前側壁の後方で開口外側近くにそれぞれ段階部を設け、前記押しキーの両端外側にそれぞれ係止を設けることで前記段階部に挟装して成ることを特徴とする請求項１に記載のモップ、及び、前記止ピースの係止前方の外側にそれぞれ斜面を設けてあることを特徴とする請求項１に記載のモップ、及び、チャック内の接続ピース下端に設けることで清掃素子と連結するものであって、前記接続ピースの下方に設けて、ほぼ方形枠体を呈し、その中、仕切板を設けることで中央空室と左右側室とを形成し、その仕切板外側に近い箇所にそれぞれ開口を設けて、前記仕切板にそれぞれ孔を設ける位置決めピースと、それぞれ左右側室内に設けたものは、スプリングと截断面が略十字形を呈して、係止と内外突起の止ピースから組成され、前記スプリングは前記外突起を固定することで、前記内突起が前記仕切板の孔を貫通し、しかも前記中央空室に突出する左右弾性止部材と、略Ｕ字形を呈し、両端外側辺にそれぞれ傾斜部を設けて、しかも前記仕切板と前記左右弾性止部材の係止との間に挿置し、その中段階箇所に突起を設けることでスプリングを固定する押しキーとを有することを特徴とするモップ、及び、前記前側壁の開口内にそれぞれ段階部を設けて、前記押しキーの両端内側にそれぞれ係止を設けることで前記段階部に挟装することを特徴とする請求項５に記載のモップ、及び、前記左右側壁の内側にはそれぞれ突起を設けてあることを特徴とする請求項５記載のモップ、及び、上記止ピースの係止前方の内側にはそれぞれ斜面を設けていることを特徴とする請求項５に記載のモップ、及び、前記チャック内には数個のガイドレールを設け、前記前側壁の前方と後側壁の後方にはそれぞれ突起を設置して、前記突起は前記ガイドレールに沿って移動することを特徴とする請求項１又は５に記載のモップ、並びに、前記前側壁外側の中央部に突起を設けてあることを特徴とする請求項１又は５項に記載のモップ、及び、前記押しキーの両端中段にそれぞれ開口を設けてあることを特徴とする請求項１又は５に記載のモップを提供するものである。
【考案の効果】
【０００８】
本考案に係る清掃素子の組立て及び交換が極めて容易に実行されることが可能となる。
【考案を実施するための最良の形態】
【０００９】
本考案は清掃素子の組立て及び交換を容易に実行させると云う目的をチャック内の接続ピース下端に設けることで清掃素子と連結するものであって、前記接続ピース下方に設けられ、その中に空室を設け、その前後側壁の左右側壁に近い箇所へそれぞれ開口を設けて、その左右側壁にそれぞれ孔を設けた位置決めピースと、前記左右側壁の孔の間に設けて、スプリングとそれぞれ該スプリング両端に設けた二つのほぼ截断面が十字形を呈し、係止部を有し内外突起の止ピースから構成され、前記スプリングが前記止ピースの内突起を固定することで、前記止ピースの外突起をそれぞれ前記孔の外に突出させる弾性止部材と、ほぼＵ字形を呈し、両端の内側辺にそれぞれ傾斜部を設けて、前記傾斜部の末端は前記左右側壁と前記止ピースの係止との間に挿置していて、その中段箇所に突起を設けることでスプリングを固定する押しキーとを有することを特徴とするモップを提供することにより実現した。
【実施例】
【００１０】
以下、本考案の好適な実施例を図１乃至図７に従って説明する。
【００１１】
図１〜４に示す本考案のモップに使用される部品は従来例の図８〜９に示すものと略同一である。本考案の特徴は連結機構７ａが接続ピース６の下方に設けられ、その中に空室７１を設け、その前後側壁７２，７４の左右側壁７３，７５に近い箇所にそれぞれ開口７６１，７６２を設けて、その左右側壁７３，７５にそれぞれ孔７７を設ける位置決めピース７０と、二つの孔７７の間に設けてあり、その中、截断面が略十字形を呈し、係止８３と内外突起８７，８５を有する止ピース８１と、両端がそれぞれ内突起８７を固定することで、外突起８５をそれぞれ孔７７の外に突出するスプリング８２と、略Ｕ字形を呈する押しキー９を包み、そして、その両端の中段箇所にそれぞれ開口９４を設け、かつ、内側辺にそれぞれ傾斜部９６を設け、そして、該傾斜部９６の末端は開口７６１を貫通し、しかも、左右側壁７３，７５と係止８３の間に挿入され、その中央部に突起９３を設けることで、スプリング９５を固設する。該スプリング９５は前側壁７２の前方中央部に設けられ、押しキー９の自動復帰を可能にする。
【００１２】
更に、スプリング９５を固定するために、前側壁７２の前方中央部に突起７８を設けている。
【００１３】
押しキー９の脱出を防止するため、押しキー９の両端外側にそれぞれ係止９２を設け、かつ、前側壁７２の後方の開口７６１外側近くにそれぞれ段階部７６３を設けて、押しキー９が開口７６１を貫通した後に係止９２が段階部７６３に挟持されるように構成している。
【００１４】
清掃素子１の移動方向をガイドするために、前側壁７２の前方と後側壁７４の後方にそれぞれ突起７９を設け、更に、チャック２には数個のガイドレール２１を設けている。水しぼりの時には、突起７９がガイドレール２１に沿って移動することで清掃素子１の移動方向を制限している。
【００１５】
清掃素子１の組立てを容易にするために、左右側壁７３，７５の外側にそれぞれガイドレール１９を設け、そして、組立てる場合に固定ピース１５がガイドレール１９のガイドによって外突起８５にかけはめられる。
【００１６】
図３〜４に示すように、清掃素子１を交換したい場合には押しキー９を押圧することで傾斜部９６を左右側壁７３，７５と係止８３の間に挿入することで、止ピース８１を動かして内方へ縮少させる。
【００１７】
押しキー９を左右側壁７３，７５と係止８３との間へ挿入させるため、係止８３の前方外側にそれぞれ斜面８８を設けて押しキー９の前記挿入動作を容易にする。
【００１８】
図５〜７に示す第二実施例は、連結機構７ｂの原理と前記の実施例は同一である。相異する点は、位置決めピース７０ｂ内に仕切板７１ｂを有することで、中央空室７１１及び左右側壁７１２を形成している。又、該仕切板７１ｂ上にそれぞれ孔７７ｂを設け、前後側壁７２ｂ，７４ｂで仕切板７１ｂに近い外側箇所にそれぞれ開口７６５，７６６を設けている。左右弾性止部材８ｂはそれぞれ左右側室７１２内に設けられ、その中に截断面が略十字形を呈し、係止８３と内外突起８７，８５を有する止ピース８１と、外突起８５を固定することで、内突起８７が孔７７ｂを貫通し、しかも、中央空室７１１に突出するスプリング８４を包む。そして、係止８３の前方内側にそれぞれ斜面８８ｂを設け、押しキー９ｂはＵ字形を呈し、両端の中段箇所にそれぞれ開口９４ｂを設けると共に外側辺にそれぞれ傾斜部９６ｂを設けている。傾斜部９６ｂの末端は開口７６５を貫通し、しかも、仕切板７１ｂと係止８３の間に挿置する。その中央部には突起９３ｂを設けることでスプリング９５ｂを固設する。スプリング９５ｂは前側壁７２ｂの前方中央部に設けられ、その両端の内側にそれぞれ係止９２ｂを設けて前側壁７２ｂの開口７６５内側近くにそれぞれ段階部７６７を設けている。
【００１９】
清掃素子１を組合せる場合には、固定ピース１５を中央空室７１１に挿置することで、孔１７を介して内突起８７にかけはめる。
【００２０】
更に、スプリング８４を固定するため、左右側壁７３ｂ，７５ｂの内側にはそれぞれ突起７３１，７５１を設けている。
【００２１】
更に、スプリング９５ｂを固定するため、前側壁７２ｂの前方中央部には突起７８ｂを設ける。
【００２２】
図７に示すように、清掃素子１を交換する場合には、押しキー９ｂを押圧することで止ピース８１を左右側壁７１２内に縮み込ませることにより清掃素子１の交換が可能となる。
【図面の簡単な説明】
【００２３】
【図１】本考案のモップ正面図。
【図２】本考案の分解図。
【図３】本考案の底面図。
【図４】本考案の押しキーの押圧動作を説明した解説図。
【図５】本考案の第二の実施例の分解図。
【図６】本考案の第二の実施例の底面図。
【図７】本考案の第二の実施例の押しキーの押圧動作を説明した解説図。
【図８】従来のモップの正面図。
【図９】従来のモップの連結機構の説明図。
【符号の説明】
【００２４】
１          清掃素子
２          チャック
３          握りレバー
４          テンションレバー
５          コネクティングロッド
６          接続ピース
７，７ａ，７ｂ，７７６      連結機構
８，８ｂ，６０    弾性止部材
９          押しキー
１１          基板
１２          綿体
１５          固定ピース
１７，２８，６７，７７，７７ｂ    孔
１９          ガイドレール
２３，２４    左右アームバー
２７，９４，９４ｂ，７６１，７６２，７６５，７６６    孔
３１          長形孔
４１          手柄
５６          ロッド体
５７          水しぼり素子
６１，８１    止ピース
６２，８３，９２，９２ｂ    係止
６３，８５    外突起
６４，８７    内突起
６５，８２，８４，９５，９５ｂ    スプリング
６６，７０，７０ｂ    位置決めピース
７１          空屋
７１ｂ        仕切板
７２，７２ｂ  前側室
７３，７３ｂ  左側壁
７４，７４ｂ  後側室
７５，７５ｂ  右側壁
７８，７８ｂ，７９，９３ｂ，７３１，７５１    突起
８８，８８ｂ  斜面
９６，９６ｂ  傾斜面
７１１          中央空室
７１２          左右側壁
７６３，７６７  段階部
【図１】
0003127047.tif 000003
【図２】
0003127047.tif 000004
【図３】
0003127047.tif 000005
【図４】
0003127047.tif 000006
【図５】
0003127047.tif 000007
【図６】
0003127047.tif 000008
【図７】
0003127047.tif 000009
【図８】
0003127047.tif 000010
【図９】
0003127047.tif 000011